(57)【要約】【課題】  用紙の搬送精度を高く維持することができ、印画記録の画質を劣化させることなく、しかも簡単な構成であって低コスト化が可能な画像記録装置を提供する。【解決手段】  記録領域に設けられた記録ヘッドと、この記録ヘッドの上流側に設けられた従動ローラと、記録ヘッドの下流側に設けられた従動ローラと、これら２つの従動ローラに張り掛けられた従動ベルトと、前記上流側従動ローラの上流側に設けられて記録前の記録紙を記録領域へ搬送するための供給側搬送手段と、前記下流側従動ローラの下流側に設けられて記録後の記録紙を記録領域から搬送する排紙側搬送手段とを有し、前記供給側搬送手段の用紙搬送力F1と、前記従動ベルトの用紙搬送力F2と、前記排紙側搬送手段の用紙搬送力F3とを、F3≧F1＞F2に設定し、前記供給側搬送手段の用紙搬送速度V1と、前記従動ベルトの用紙搬送速度V2と、前記排紙側搬送手段の用紙搬送速度V3とを、V3≧V1≧V2に設定した。【選択図】図１
2005074773.tif 000002
【特許請求の範囲】
【請求項１】
記録紙を搬送する記録紙搬送手段を有し、この記録紙搬送手段による記録紙の搬送時に、該記録紙上にライン単位の印画記録を行う画像記録装置において、記録領域に設けられた記録ヘッドと、この記録ヘッドの上流側に設けられた従動ローラと、記録ヘッドの下流側に設けられた従動ローラと、これら２つの従動ローラに張り掛けられた従動ベルトと、前記上流側従動ローラの上流側に設けられて記録前の記録紙を記録領域へ搬送するための供給側搬送手段と、前記下流側従動ローラの下流側に設けられて記録後の記録紙を記録領域から搬送する排紙側搬送手段とを有し、前記供給側搬送手段の用紙搬送力F1と、前記従動ベルトの用紙搬送力F2と、前記排紙側搬送手段の用紙搬送力F3とを、F3≧F1＞F2に設定し、前記供給側搬送手段の用紙搬送速度V1と、前記従動ベルトの用紙搬送速度V2と、前記排紙側搬送手段の用紙搬送速度V3とを、V3≧V1≧V2に設定したことを特徴とする画像記録装置。
【請求項２】
印画記録手段を複数色持ち、カラー画像記録を可能とした請求項１に記載の画像記録装置。
【請求項３】
印画記録手段を平面配列されたドロップオンデマンドインクジェットヘッドとしたことを特徴とする請求項１に記載の画像記録装置。
【請求項４】
記録紙搬送時の記録紙への張力付加手段として、排紙側搬送手段の搬送速度が給紙側搬送手段の搬送速度よりも大きく設定されていることを特徴とする請求項１に記載の画像記録装置。
【請求項５】
記録紙搬送時の記録紙への張力付加手段として、ダンサーローラを設けたことを特徴とする請求項１に記載の画像記録装置。
【発明の詳細な説明】
【技術分野】
【０００１】
本発明は記録紙を搬送する記録紙搬送手段を有し、この記録紙搬送手段による記録紙の搬送時に、該記録紙上にライン単位の印画記録を行う画像記録装置に関するものであり、さらに詳しくは、記録手段としてインクジェット方式など、非接触記録方式を用いた画像記録装置に関する。
【背景技術】
【０００２】
一般に、インクジェット記録装置は、記録ヘッドからインクを吐出して被記録媒体に記録を行う装置である。記録ヘッドの小型化が容易であり、高精細な画像を高速に記録することができ、ランニングコストが安く、ノンインパクト方式であるため騒音が少なく、しかも、多色のインクを使用してカラー画像を記録するのが容易であるなどの利点を有している。中でも、紙幅方向に多数のノズルを配列したラインタイプの記録ヘッドを使用したフルライン型の装置は、記録の一層の高速化が可能である、
ところが、フルライン型の装置においては、最も上流側位置の記録ヘッドから最も下流側位置の記録ヘッドまでの距離がかなり長くなってしまうため、記録領域において前記記録紙の浮き上がりが発生し、記録画像の乱れやジャムなどを引き起こす。
【０００３】
この問題点を解決し得る技術として、記録紙裏面にプラテンを設け、記録紙を裏面側から吸引することにより、当該記録紙をプラテン側に引き付けるように構成したものが既に提案されている（例えば、特許文献１、２参照）。
【０００４】
【特許文献１】特開平８−１９２５４４号公報
【０００５】
【特許文献２】特開平９−５８８９７号公報
【発明の開示】
【発明が解決しようとする課題】
【０００６】
しかし、上記従来技術の場合には次のような問題点を有している。すなわち特許文献１に開示された紙送り構造の場合には、プラテン板に複数の孔を設け、この複数の孔から空気を吸引して記録紙をプラテン板に吸着しながら搬送するように構成したものであるため、幅の広い記録紙やフルライン型の装置のように、記録領域が広くなった場合に、記録紙の摺動抵抗が増大する。このように記録紙の摺動抵抗が増大すると、記録紙の送り精度に悪影響を与えるとともに、搬送付加の増大、ひいては用紙破断などのトラブルを引き起こすという問題点があった。
【０００７】
また、特許文献２に開示された吸着搬送装置は、搬送用平ベルトに複数の孔を設けるように構成したものであるため、記録紙の搬送精度を満足させるためには搬送用平ベルトの製造や、駆動機構等に非常に高い精度が要求され、コストの高いものになってしまうという問題点を有していた。
【０００８】
本発明は、上記従来技術の問題点を解決するためになされたものであり、その目的とするところは、用紙の搬送精度を高く維持することができ、印画記録の画質を劣化させることなく、しかも簡単な構成であって低コスト化が可能な画像記録装置を提供することを目的とする。
【課題を解決するための手段】
【０００９】
上記目的は、記録領域に設けられた記録ヘッドと、この記録ヘッドの上流側に設けられた従動ローラと、記録ヘッドの下流側に設けられた従動ローラと、これら２つの従動ローラに張り掛けられた従動ベルトと、前記上流側従動ローラの上流側に設けられて記録前の記録紙を記録領域へ搬送するための供給側搬送手段と、前記下流側従動ローラの下流側に設けられて記録後の記録紙を記録領域から搬送する排紙側搬送手段とを有し、前記供給側搬送手段の用紙搬送力F1と、前記従動ベルトの用紙搬送力F2と、前記排紙側搬送手段の用紙搬送力F3とを、F3≧F1＞F2に設定し、前記供給側搬送手段の用紙搬送速度V1と、前記従動ベルトの用紙搬送速度V2と、前記排紙側搬送手段の用紙搬送速度V3とを、V3≧V1≧V2に設定することによって達成される。
【発明の効果】
【００１０】
本発明によれば、記録紙は、給紙側搬送手段の搬送速度と排紙側搬送手段の搬送速度の速度差、またはダンサーローラなどにより所定の張力を付加された状態で精度良く搬送され、記録領域では従動ベルトにより記録紙のバタツキが規制され、且つ従動抵抗であるため用紙に対する張力変動は最小限に抑えることができ、記録紙の送り精度に悪影響を与える搬送付加の増大、ひいては用紙破断などのトラブルを引き起こすことがなく、用紙の搬送精度を高く維持することができ、印画記録の画質を劣化させることなく、しかも簡単な構成であって低コスト化が可能な画像記録装置を提供することができる。
【発明を実施するための最良の形態】
【００１１】
以下本発明の実施例を図１を参照して説明する。
【実施例】
【００１２】
図１は本発明の一実施例を示す概略的な構成図を示す。
【００１３】
図１において、１は記録紙ロールであり、紙管の外周に記録媒体である記録紙（記録シート）１'を巻いたものとなっている。本実施例ではインクジェット方式のカラー記録装置の場合について以下に記述する。ここで、記録紙１'の材質はパルプ紙や、プラスチックフィルムシートなどで良く、さらには化学合成紙やそれらの材料を複合させた紙であっても良い。好ましくは記録が可能で、伸縮の少ないものが良い。また、記録方式として電子写真方式、熱転写方式など様々なものがあるが、本発明はインクジェット方式以外の記録方式にも適用可能である。
【００１４】
本記録装置には、上記記録紙１'のセット位置側から記録紙を記録領域へ搬送するための供給側搬送手段２として駆動ローラ２aを、記録領域１０１を挟んで下流側に記録紙を記録領域から排出すべく搬送する排紙側搬送手段３として駆動ローラ３aを有している。
【００１５】
それぞれの駆動ローラ２a、３a、は、駆動補助ローラ２b及び３bを有し、記録紙１'を駆動ローラと挟み込むことで搬送力を付加する。排紙側搬送手段３の下流側は記録紙巻取り系４または図示しない切断系が配置される。記録領域１０１には記録ヘッドが設けられ、本実施例においては記録領域１０１をカバーするライン構成のインクジェットヘッドであり、移動する記録紙１'に対し、画像を形成するものとなっている。
【００１６】
記録ヘッド１０１k、１０１c、１０１m、１０１yには異なった複数色のインクが供給され、本実施例においては、Y、M、C、Kの４色が使用され、各色を重ね合わせることにより、所定のカラー画像を形成する。記録領域１０１の対向面には、記録領域に設けられた記録ヘッドの上流側に設けられた従動ローラ１１と、記録ヘッドの下流側に設けられた従動ローラ１２と、これら２つの従動ローラに張り掛けられた従動ベルト１３を有している。
【００１７】
前記供給側搬送手段２の用紙搬送力F1と、前記従動ベルト１３の用紙搬送力F2と、前記排紙側搬送手段３の用紙搬送力F3とを、F3≧F1＞F2に設定し、前記供給側搬送手段２の用紙搬送速度V1と、前記従動ベルト１３の用紙搬送速度V2と、前記排紙側搬送手段３の用紙搬送速度V3とを、V3≧V1≧V2に設定している。
【００１８】
記録紙１'は供給側搬送手段２と排紙側搬送手段３によって搬送される。記録紙１'は、排紙側搬送手段３によって用紙搬送速度を制御され、記録ヘッド１０１k、１０１c、１０１m、１０１yは、排紙側搬送手段３の用紙搬送速度V3にあわせて印画プロセスを実行する。この時、排紙側搬送手段３の搬送速度V3が給紙側搬送手段２の搬送速度V1よりも大きく設定することによって、記録紙１'に張力を発生させることができ、記録紙１'は適度な張力によって挙動を乱すことなく搬送される。また、張力付加の手段としては、給紙側搬送手段２と排紙側搬送手段３の搬送速度を利用する方法だけでなく、図示しないダンサーローラを用いても良く、搬送速度域、張力設定域などにより、適当な方法を用いて良い。
【００１９】
記録紙１'は記録領域１０１では、記録ヘッドの上流側に設けられた従動ローラ１１と、記録ヘッドの下流側に設けられた従動ローラ１２と、これら２つの従動ローラに張り掛けられた従動ベルト１３に接して搬送される。
【００２０】
従動ベルト１３が無い場合、従動ローラ１１と従動ローラ１２の距離が長いほど、また、記録紙１'の張力が低いほど、記録紙１'の固有振動数がさがるため、記録紙１'のバタツキが大きくなってしまう。
【００２１】
記録紙１'に付加できる張力は材質によって限界があり、一般的な印刷用紙で１００Ｎ程度である。しかしながら、本実施例では、従動ベルトによって記録紙１'のバタツキを低減することができるとともに、従動ベルト１３の材質を選択することで、従動ベルト１３により高い張力を与えることも可能であり、見かけ上記録紙１'の固有振動数を上げ、バタツキ量の低減が可能となる。
【００２２】
また、記録ヘッドの上流側に設けられた従動ローラ１１と、記録ヘッドの下流側に設けられた従動ローラ１２と、これら２つの従動ローラ１１、１２に張り掛けられた従動ベルト１３で構成されているため、摺動抵抗を発生することもなく、記録紙１'の張力変動及び、搬送負荷の増大を最小限に抑えることができる。
【００２３】
以上ように、記録領域１０１に設けられた記録ヘッドと、この記録ヘッドの上流側に設けられた従動ローラ１１と、記録ヘッドの下流側に設けられた従動ローラ１２と、これら２つの従動ローラに張り掛けられた従動ベルト１３を有し、前記上流側従動ローラ１１の上流側に設けられて記録前の記録紙１'を記録領域１０１へ搬送するための供給側搬送手段２と、前記下流側従動ローラ１２の下流側に設けられて記録後の記録紙１'を記録領域１０１から排出すべく搬送する排紙側搬送手段３と、を設けることによって、記録紙を所定の張力を付加された状態で精度良く搬送し、且つ、記録領域１０１では従動ベルト１３により記録紙１'のバタツキを規制し、摺動抵抗を発生することもなく、記録紙１'の張力変動及び、搬送負荷の増大を最小限に抑えることができる。
【図面の簡単な説明】
【００２４】
【図１】本発明の一実施例における画像記録装置の用紙搬送系を示す全体構成図。
【符号の説明】
【００２５】
１は記録紙ロール、１'は記録紙、２は給紙側搬送手段、２aは駆動ローラ、２bは駆動補助ローラ、３は排紙側搬送手段、３aは駆動ローラ、３bは駆動補助ローラ、４は記録紙巻き取り系、１１は従動ローラ、１２は従動ローラ、１３は従動ベルト、１０１は記録領域、１０１k、１０１c、１０１m、１０１yは記録ヘッド。
【図１】
2005074773.tif 000003